(57)【要約】【課題】くし型鋼製ジョイントからの土砂の侵入を抑制し、土砂堆積による沈下・離脱を防止するようにした遊間用止水材を提供する。【解決手段】遊間の対向する腹板の壁面間に設置される遊間用止水材１であって、上部蛇腹膜３ａおよび下部蛇腹膜３ｂと、これらの蛇腹膜の間に介在し所定間隔で並設された複数の柱材２とを備え、上部蛇腹膜３ａは隣接する各柱材２，２間に谷部が、下部蛇腹膜３ｂは隣接する各柱材２，２間に山部がそれぞれ形成されており、少なくとも止水材１の両端部において、谷部の最下点Ａが該谷部に対向する山部の最上点Ｂよりも壁面側（すなわち止水材の端部側）（但し、対向する壁面のうち距離の近いほうの壁面側）に位置する。【選択図】  図１
2007270610.tif 000002
【特許請求の範囲】
【請求項１】
遊間の対向する壁面間に設置される遊間用止水材であって、上部蛇腹膜および下部蛇腹膜と、これらの蛇腹膜の間に介在し所定間隔で並設された複数の柱材とを備え、
上部蛇腹膜は隣接する各柱材間に谷部が、下部蛇腹膜は隣接する各柱材間に山部がそれぞれ形成されており、
少なくとも止水材両端部において、谷部の最下点が該谷部に対向する山部の最上点よりも壁面側（但し、対向する壁面のうち距離の近いほうの壁面側）に位置することを特徴とする遊間用止水材。
【請求項２】
前記谷部は、断面が円弧状の略Ｖ字形溝である請求項１に記載の遊間用止水材。
【請求項３】
前記谷部の最下点と前記山部の最上点とのずれが、壁面近傍で最大である請求項１または２に記載の遊間用止水材。
【請求項４】
前記上部蛇腹膜および下部蛇腹膜は、壁面近傍の厚さが中央部よりも薄い請求項１〜３のいずれかに記載の遊間用止水材。
【請求項５】
前記上部蛇腹膜の少なくとも前記谷部を構成する溝内に発泡体を設ける請求項１〜４のいずれかに記載の遊間用止水材。
【請求項６】
前記発泡体は、前記谷部を含む前記上部蛇腹膜の上面に設置されている請求項５に記載の遊間用止水材。
【請求項７】
前記柱材は、鉛直方向の荷重に対して剛性を有する請求項１〜６のいずれかに記載の遊間用止水材。
【請求項８】
前記剛性が、(イ)柱材に硬質材料を使用する、（ロ）柱材を厚くする、および（ハ）柱材をその長さ方向に蛇腹状にする、から選ばれる少なくとも１つの構成によって達成される請求項７に記載の遊間用止水材。
【請求項９】
遊間に請求項１〜８のいずれかに記載の止水材を挿入し、両端面を遊間の対向する壁面に固定したことを特徴とする橋梁伸縮装置。
【請求項１０】
両端面が不陸調整材を介して前記壁面に接着される請求項９に記載の橋梁伸縮装置。
【発明の詳細な説明】
【技術分野】
【０００１】
本発明は、高架橋などの橋梁に一定間隔で形成される遊間から雨水等の落下を防止するための遊間用止水材および橋梁伸縮装置に関し、特に土砂の堆積による止水材の沈下・離脱を抑制し、耐久性に優れた遊間用止水材、およびこれを使用した橋梁伸縮装置に関する。
【背景技術】
【０００２】
橋梁は、温度変化に起因して膨張や収縮を繰り返すため、一定間隔毎に遊間が設けられている。そして、図１０に示すように、遊間の表面には、温度変化に起因する膨張や収縮、車の走行に伴う圧力に応じて遊間ｔの間隔が伸縮するように、互いに噛み合う一対の櫛形鋼製ジョイント５０,５０が設けられている。
【０００３】
遊間ｔは、橋梁に降った雨水等が遊間から漏水すると、橋桁の支承部付近分が腐食し損傷を与えてしまうため、図１１に示すように、シール材５１（弾性シール材等）をくし型鋼製ジョイント５０,５０の下の腹板５４,５４間に接着して防水している（例えば、特許文献１〜４を参照）。このシール材５１は、例えば遊間に反応硬化性の低モジュラスのシール材を流し込み、硬化させることによって形成される。シール材５１は、ポリウレタンフォーム材などの発泡体からなるバックアップ材５２を介して支持金具５３に保持される。このようにシール材５１およびバックアップ材５２を設置することにより、シール材５１自体が変形し、バックアップ材５２が体積変化することで遊間距離の変化に追従するようになっている。なお、図１０および図１１において、矢印Ａは車の走行方向（すなわち橋軸方向）を示しており、矢印Ｂは鉛直方向を示している。
【０００４】
また、上記のようなシール材５１に代えて、成形品からなる止水材を使用することも提案されている（例えば、特許文献５を参照）。図１２は、止水材として成形品を使用した通常の遊間伸縮装置を示している。図１２に示すように、止水材６１は、遊間の表面に設けられた互いに噛み合う一対のくし型鋼製ジョイント６０,６０の下に設置され、両端が遊間の腹板６２，６２（ウェブプレート）の壁面に接着されている。止水材６１は、さらに櫛状の支持金具６３にて保持される。止水材６１は、遊間の変位に追従できるように、ゴム材料などを蛇腹形状に成形したものである。この止水材６１は、上下の蛇腹膜６４，６４の間に所定間隔で柱材６５を設置し、遊間の変位に追従して伸縮する際に、止水材６１の高さが変化しないようにしている。そして、止水材６１は遊間の長さよりも大きな長さを有することにより、圧縮状態で遊間内に設置されている。
【０００５】
【特許文献１】実公昭６０‐３２１６４号公報
【特許文献２】実公昭６１‐５３７０号公報
【特許文献３】実公平１‐３１６０１号公報
【特許文献４】実公平２‐３５８４３号公報
【特許文献５】実公昭６３‐４０４８７号公報
【発明の開示】
【発明が解決しようとする課題】
【０００６】
前記した弾性シール材５１は低モジュラス性のため鉛直方向からの荷重で容易に変形しやすい。一方、絶えず車が走行する橋梁の遊間では、長年の間に土砂がくし型鋼製ジョイント５０,５０の隙間より遊間に侵入し堆積する。その結果、図１３に示すように、徐々に堆積する土砂５４の重み、およびその土砂５４にかかる車両の輪荷重（車両が通過する際の荷重）によって弾性シール材５１が圧縮され変形する。特に遊間の変位や、車両が通過した際の輪荷重によりシール材５１が局所的な変形を起こしやすい。最終的には、シール材５１が沈下、離脱して、接着面の剥離やシール材５１の破断をひき起こし、止水機能が失われ、道路下方に水が漏れるという不具合が発生する。
【０００７】
特に、弾性シール材５１は、図１４に示すように、遊間圧縮時に膨らむが（膨らみをeで示す）、遊間拡張時にはジョイント５０，５０との間に隙間ｆが生じるため、その隙間ｆに土砂が侵入しやすく、これがシール材５１の損傷を促進している。
【０００８】
これに対して、止水材として図１２に示すような成形品を使用した場合は、止水材６１は、柱材６５によって高さが一定に維持されているため、遊間圧拡張時に隙間を形成しない構造となっている。
【０００９】
しかし、実際の施工では、ジョイント６０と支持金具６３との間隙に多少の余裕をもたせており、また支持金具６３の取付け位置の誤差などもある。そのため、図１５に示すように、ジョイント６０と止水材６１との間に隙間ｇが発生し、土砂が侵入しやくなり、これが止水材の破損の原因になっていた。また、蛇腹膜６４は波形であるため、谷部に土砂が堆積しやすい。さらに、柱材６５は、水平方向の圧縮性を確保するため、比較的軟質であるため、鉛直方向に土砂が堆積すると、その重みや車両の輪荷重で変形しやすいという問題がある。
【００１０】
本発明は、従来の止水材が有する課題を解決するためになされたものであって、くし型鋼製ジョイントからの土砂の侵入を抑制し、土砂堆積による沈下・離脱を防止するようにした遊間用止水材を提供する。
【課題を解決するための手段】
【００１１】
上記課題を達成するための本発明の遊間用止水材は、以下の構成を有する。
【００１２】
（1）遊間の対向する壁面間に設置される遊間用止水材であって、上部蛇腹膜および下部蛇腹膜と、これらの蛇腹膜の間に介在し所定間隔で並設された複数の柱材とを備え、上部蛇腹膜は隣接する各柱材間に谷部が、下部蛇腹膜は隣接する各柱材間に山部がそれぞれ形成されており、少なくとも止水材両端部において、谷部の最下点が該谷部に対向する山部の最上点よりも壁面側（但し、対向する壁面のうち距離の近いほうの壁面側）に位置することを特徴とする遊間用止水材。
（2）前記谷部は、断面が円弧状の略Ｖ字形溝である(1）に記載の遊間用止水材。
（3）前記谷部の最下点と前記山部の最上点とのずれが、壁面近傍で最大である（1）または（2）に記載の遊間用止水材。
（4）前記上部蛇腹膜および下部蛇腹膜は、壁面近傍の厚さが中央部よりも薄い（1）〜（3）のいずれかに記載の遊間用止水材。
（5）前記上部蛇腹膜の少なくとも前記谷部を構成する溝内に発泡体を設ける（1）〜（4）のいずれかに記載の遊間用止水材。
（6）前記発泡体は、前記谷部を含む前記上部蛇腹膜の上面に設置されている（5）に記載の遊間用止水材。
（7）前記柱材は、鉛直方向の荷重に対して剛性を有する（1）〜（6）のいずれかに記載の遊間用止水材。
（8）前記剛性が、(イ)柱材に硬質材料を使用する、（ロ）柱材を厚くする、および（ハ）柱材をその長さ方向に蛇腹状にする、から選ばれる少なくとも１つの構成によって達成される（7）に記載の遊間用止水材。
（9）遊間に（1）〜（8）のいずれかに記載の止水材を挿入し、両端面を遊間の対向する壁面に固定したことを特徴とする橋梁伸縮装置。
(10)両端面が不陸調整材を介して前記壁面に接着される（9）に記載の橋梁伸縮装置。
【発明の効果】
【００１３】
上記（1）にかかる本発明の遊間用止水材の効果を図１および図２に基づいて説明する。図１は上記（1）にかかる本発明の止水材を模式的に示しており、図２は従来の止水材を模式的に示している。まず、図２の従来例から説明すると、図２(a)に示すように、柱材６５の上下に設けられた上部蛇腹膜６４aの谷部の最下点Ａと下部蛇腹膜６４ｂの山部の最上点Ｂとはいずれも左端および右端から等距離にある（言い換えると谷部の最下点Ａと山部の最上点Ｂとは鉛直線上にある）。そのため図２(ｂ)に示すように、壁面間に装着した状態では、止水材６１は水平方向に圧縮された状態となっているので、（圧縮方向を矢印で示す）、止水材の端部と中央部の高さは一定である。
【００１４】
これに対して、図１(a)に示すように、柱材２の上下に設けられた上部蛇腹膜３ａの谷部の最下点Ａが下部蛇腹膜３ｂの山部の最上点Ｂよりも端部側に位置する。そのため、図１(ｂ)に示すように、止水材1の圧縮状態（壁面間に装着した状態）では、止水材１の端部よりも中央部が上方に盛り上がるようになる（盛り上がり高さをｈで示す）。
このようにすると、図15に示したように、支持金具の取付け誤差などにより止水材１とジョイントとの間に隙間ｇができるのを防止することができる。これによって、ジョイントからの土砂の侵入を抑制し、土砂堆積による沈下・離脱を防止することができる。
【００１５】
上記（2）の遊間用止水材によれば、前記谷部が円弧状の略Ｖ字形溝であるので、止水材１とジョイントとの間の隙間が直線状のＶ字形溝よりも小さくなり、土砂の堆積量を少なくすることができる。
【００１６】
上記（3）にかかる本発明の遊間用止水材の効果を図３の模式図に基づいて説明する。上記（3）にかかる止水材１′は、図３(a)に示すように、前記谷部の最下点Ａと前記山部の最上点Ｂとのずれｊが、止水材端部（すなわち壁面近傍）で最大となるように構成されている。そのため、図３(ｂ)に示すように、止水材の圧縮状態（壁面間に装着した状態）では、端部の段差ｋがそれ以外の部位の段差ｌよりも大きくなるので、止水材１′は中央部だけでなく、ほぼ全体が盛り上がるようになる。従って、前記した支持金具６３が下方に取付けられた場合でも、止水材１′とジョイントとの間の隙間を少なくすることができる。
【００１７】
上記（4）にかかる本発明の遊間用止水材の効果を図４の模式図に基づいて説明する。上記（4）の止水材１″は、図４(a)に示すように、止水材端部（すなわち壁面近傍）の上部蛇腹膜３′aおよび下部蛇腹膜３′bの厚さが、中央部のそれらの厚さよりも薄くなるように構成されている。そのため、図４(ｂ)に示すように、水平方向への止水材の圧縮状態（壁面間に装着した状態、圧縮方向を矢印で示す）では、厚みが薄い端部の上部蛇腹膜３′aおよび下部蛇腹膜３′bは変形しやすいために、端部の圧縮率ｍがその他の圧縮率ｎよりも大きいので、端部の段差oがそれ以外の部位の段差ｐよりも大きくなり、止水材１″は中央部だけでなく、ほぼ全体が盛り上がるようになる。従って、前記した支持金具６３が下方に取付けられた場合でも、止水材１″とジョイントとの間の隙間を少なくすることができる。
【００１８】
なお、図4では、説明の便宜上、両端部の１つの谷部と山部の部位の上部蛇腹膜３′aおよび下部蛇腹膜３′bの厚さを薄くしたが、本発明はこれに限定されるものではなく、端部から２つ目またはそれ以上の谷部および山部までの領域の上部蛇腹膜および下部蛇腹膜の厚さを、中央部を含むその他の部位の厚さよりも大きくしてもよい。
【００１９】
上記（5）の遊間用止水材によれば、前記上部蛇腹膜の少なくとも溝内に発泡体を設けるので、止水材の上部に空間がなくなり、土砂の侵入を防止することができる。また、上記（6）のように、発泡体を、前記溝部を含む上部蛇腹膜の上面に設置すると、土砂の侵入を防止するのにより有効である。
【００２０】
上記(7)、（8）の遊間用止水材によれば、柱材が剛性を有するので、土砂の重みや輪荷重で止水材が変形するのを防止することができるので、土砂の侵入を防止するのに有効である。
【００２１】
上記(9)の橋梁伸縮装置によれば、橋梁の伸縮によるジョイントからの土砂の侵入を抑制し、土砂堆積による止水材の沈下・離脱を防止することができる。
【００２２】
上記(10)の橋梁伸縮装置によれば、遊間端面が凹凸のある不陸面であっても不陸吸収調整材によって確実に止水材の両端面を遊間の壁面に接着固定することができる。
【００２３】
なお、遊間の壁面への固定は接着に限定されるものではなく、ボルト、ナットによる機械固定であってもよい。
【発明を実施するための最良の形態】
【００２４】
以下、図面を参照して本発明の実施形態を説明する。図５(a)〜(ｄ)はそれぞれ本発明に係る遊間用止水材の実施形態を示す断面図である。
図５(a)に示す遊間用止水材１１は、遊間の対向する腹板の壁面間に設置されるものであって、所定間隔で並設された複数の柱材２１の上部および下部にそれぞれ上部蛇腹膜３１ａおよび下部蛇腹膜３１ｂを一体に形成した構造を有する。上部蛇腹膜３１ａおよび下部蛇腹膜３１ｂは各柱材２１の間にＶ字形溝を形成した構造を有するが、対向するＶ字形溝は従来の止水材と異なり、互いに非対称である。
【００２５】
すなわち、前記Ｖ字形溝によって、上部蛇腹膜３１ａは隣接する各柱材２１，２１間に谷部４１ａが、下部蛇腹膜３１ｂは隣接する各柱材２１，２１間に山部４１ｂがそれぞれ形成される。このとき、止水材１１の中央を境にして、谷部４１ａの最下点Ａを柱材２１、２１間の中央から水平方向に端部側（腹板の壁面側）へずらし、一方、山部４１ｂの最上点Ｂを柱材２１、２１間の中央から水平方向に止水材１１の中央部側へずらしている（最下点Ａと最上点Ｂとのずれをｑで示す）。
【００２６】
これによって、図１に示すように、水平方向への止水材の圧縮状態（腹板の壁面間に装着した状態）では、止水材１の端部よりも中央部が上方に盛り上がり、止水材１１とジョイントとの間に隙間ができるのを防止することができる。止水材１の盛り上がり高さは、上記ずれｑの大きさを変えることによって調整可能である。
止水材１１は、各種ゴム材、プラスチック樹脂、エラストマー材などを成形して得られる。
【００２７】
なお、上記の実施形態では、谷部４１ａの最下点Ａおよび山部４１ｂの最上点Ｂを柱材２１、２１間の中央からそれぞれ左右、つまり端部側（腹板側）および止水材１１の中央部側にずらせたが、最下点Ａおよび最上点Ｂの一方が柱材２１、２１間の中央に位置し、他方を端部側（腹板側）または止水材１１の中央部側にずらせるようにしてもよい。また、場合によっては、最下点Ａおよび最上点Ｂのいずれもが柱材２１、２１間の中央より同方向に外れた位置でずれｑを形成していてもよい。
【００２８】
図５(ｂ)に示す止水材１２は、各柱材２２、２２間の上部蛇腹膜３２ａおよび下部蛇腹膜３２ｂに形成されるＶ字形溝が、図５(a)に示すような直線状でなく、円弧状で構成されている。そのため、特に、上部蛇腹膜３２ａの上面におけるＶ字形溝内の空間容積が小さくなり、土砂堆積量を少なくすることができる。その他は、図５(a)に示す実施形態と同様である。
【００２９】
図５(ｃ)に示す止水材１３は、図５(b)に示す構成（すなわち、最下点Ａおよび最上点Ｂのずれ、および円弧状の略Ｖ字形溝）に加えて、端部側（腹板側）における最下点Ａと最上点Ｂとのずれ量ｒを、それ以外の中央部側における最下点Ａと最上点Ｂとのずれ量ｓよりも大きく形成したものである（すなわちｒ＞ｓ）。これによって、図３に示したように、止水材１３の圧縮状態（腹板の壁面間に装着した状態）では、中央部だけでなく、ほぼ全体が盛り上がるようになる。従って、前記した支持金具が下方に取付けられた場合でも、止水材１３とジョイントとの間の隙間を少なくすることができる。
【００３０】
なお、図５(ｃ)では、説明の便宜上、両端部の１つの谷部の最下点Ａと前記山部の最上点Ｂとのずれのみを大きくしているが、本発明はこれに限定されるものではなく、端部から２つ目またはそれ以上の谷部の最下点Ａと前記山部の最上点Ｂとのずれ量をｒとし、中央部を含むその他の部位のずれ量をｓとしてもよい。その他は、図５(a)，(b)に示す実施形態と同様である。
【００３１】
図５(ｄ)に示す止水材１４は、図５(b)に示す構成（すなわち、最下点Ａおよび最上点Ｂのずれ、および円弧状の略Ｖ字形溝）に加えて、端部側（腹板側）における上部蛇腹膜44aおよび下部蛇腹膜44bの厚さｔを、中央部における上部蛇腹膜44aおよび下部蛇腹膜44bの厚さuよりも薄くしたものである。これによって、図４に示したように、止水材１４の圧縮状態（腹板の壁面間に装着した状態）では、中央部だけでなく、ほぼ全体が盛り上がるようになる。従って、前記した支持金具が下方に取付けられた場合でも、止水材１３とジョイントとの間の隙間を少なくすることができる。
【００３２】
なお、図５(ｄ)では、説明の便宜上、両端部の１つの谷部の両蛇腹膜44a、44ｂの厚さtを中央部の厚さuよりも薄くしたが、本発明はこれに限定されるものではなく、端部から２つ目またはそれ以上の領域で両蛇腹膜44a、44ｂの厚さtを中央部の厚さuよりも薄くしてもよい。その他は、図５(a)，(b)に示す実施形態と同様である。
また、図５（ｃ）,(ｄ)では、円弧状の略Ｖ字形溝を示しているが、直線状の略Ｖ字形溝であってもよい。
【００３３】
図６は本発明の他の実施形態を示している。すなわち、図６(a)は、図５（ｂ）に示したと同じ止水材１２の上部蛇腹膜３２ａの谷部を構成する溝５内に発泡体６を設けたものである。発泡体6としては、例えばポリウレタンフォーム、ＥＰＤＭフォーム、ポリエチレンフォームなどの各種発泡体が挙げられる。
【００３４】
また、図６(ｂ)は、図５（ｂ）に示したと同じ止水材１２の上部蛇腹膜３２ａの前記溝部５を含む上面全体に発泡体１６を設けたものである。発泡体１６の厚さは特に限定されるものではないが、ジョイント間から浸入した水が発泡体１６内に含浸保持され、伸縮装置を腐食させることが懸念されるため、できるだけ厚さが薄いのが好ましい。なお、発泡体１６の厚さが０ｍｍのときは、図６(a)の発泡体６になる。
このように、発泡体６，１６を、上部蛇腹膜３２ａの溝部５、または該溝部５を含む上部蛇腹膜３２ａの上面に設置すると、土砂の侵入を防止するのに有効である。なお、図５（a）、(c)および（ｄ）に示した止水材１１，１３,１４等にも同様にして適用可能である。
【００３５】
図７および図８は本発明のさらに他の実施形態を示している。すなわち、図７に示す止水材１５、１７，１８はいずれも、図５(b)に示す構成（すなわち、最下点Ａおよび最上点Ｂのずれ、および円弧状の略Ｖ字形溝）に加えて、柱材が剛性を有するように構成したものである。すなわち、図７(a)は 柱材２５を硬質材で構成した例を示す。図７(ｂ)は柱材２７を厚くしたものである。図７（c）は柱材２８をその長さ方向に蛇腹状に構成して(水平断面、すなわちA-A線断面を示す図８(a)を参照)、剛性を付与したものである。なお、図７(ｂ)において、３７ａおよび３７ｂはそれぞれ上部および下部蛇腹膜を示している。また、図７(ｃ)において、３８ａおよび３８ｂはそれぞれ上部および下部蛇腹膜を示している。
図７(a) 、(b)、（c）の構成は、必要に応じてそれらの２つまたは３つを組み合わせるようにしてもよい。例えば、柱材を硬質材で、厚く、かつ水平断面を蛇腹状に構成してもよい。
【００３６】
図７(a)に示すように、柱材２５のみを硬質材で構成するには、例えば柱材２５と上部および下部蛇腹膜３５ａ、３５bとを別々に成形し、それらを貼り合わせるようにしてもよい。また、図７(b) に示す柱材２７の厚みは、使用する成形材料の種類や、止水材の大きさなどによって変化するが、蛇腹膜３７ａ、３７ｂの厚み以上であるのがよい。柱材２７の厚みが、蛇腹膜３７ａ、３７ｂの厚みよりも小さいと、止水材１７を圧縮したとき、柱材２７が倒れやすくなる。
【００３７】
図８(a)に示すように柱材２８の水平断面を蛇腹状に構成した場合、その両端部を腹板などの壁面と接着するために、図８(ｂ)に示すように蛇腹状柱材２８の外面に接着剤層２０を設けてもよく、あるいは図８(ｃ)に示すように不陸調整層３０を設けてもよい。不陸吸収調整材３０としては、例えば弾性を有するゴム、エラストマーや、止水性の発泡体などが挙げられる。不陸吸収調整材３０は、最外面の柱材２８と接着されているのが好ましい。
【００３８】
前記不陸吸収調整材３０は、上記の蛇腹状柱材２８に適用するだけでなく、図９に示すように、本発明にかかる他の止水材における最外面の柱材に接着等によって取付けてもよい。図９は一例として、図５（ｂ）に示す止水材１２に適用した場合を示している。このように不陸吸収調整材３０を設けることにより、腹板面の溶接肉盛り部やコンクリート壁面のように不陸（凹凸）のある場合であっても、不陸吸収調整材３０が凹凸になじむので、確実に止水することができる。
また、本実施形態の遊間用止水材を用いて橋梁伸縮装置を形成する場合、不陸吸収調整材30を介する接着固定に代えて、ボルト、ナット等を用いる機械固定であってもよい。
【００３９】
なお、以上の実施形態では、各柱材のすべての山部と谷部とについて、最上点と最下点の位置をずらすようにしたが、少なくとも止水材両端部において最上点と最下点の位置をずらすようにしてもよい。また、本発明の止水材は、遊間の鉛直方向に２層以上積層してもよい。
また、以上の実施形態では、くし型鋼製ジョイントの下部に設けられる腹板間の遊間に適用した止水材について説明したが、本発明の止水材は、コンクリート製の壁面間に形成される遊間に対しても同様にして適用可能である。
【図面の簡単な説明】
【００４０】
【図１】本発明の遊間用止水材を模式的に示す概念図である。
【図２】従来の遊間用止水材を模式的に示す概念図である。
【図３】本発明の他の遊間用止水材を模式的に示す概念図である。
【図４】本発明のさらに他の遊間用止水材を模式的に示す概念図である。
【図５（ａ）（ｂ）】(a)、（ｂ）はそれぞれ本発明の遊間用止水材の実施形態を示す断面図である。
【図５（ｃ）（ｄ）】(ｃ)、（ｄ）はそれぞれ本発明の遊間用止水材の実施形態を示す断面図である。
【図６】(a)および(b)はそれぞれ本発明の遊間用止水材の他の実施形態を示す断面図である。
【図７】(a)、（ｂ）および(ｃ)はそれぞれ本発明の遊間用止水材のさらに他の実施形態を示す断面図である。
【図８】(a)および(b)はそれぞれ図７(ｃ)のA−A線断面図およびB-B線断面図であり、(c)は(b)の変形例を示す図である。
【図９】本発明の遊間用止水材の別の実施形態を示す断面図である。
【図１０】遊間に設置される通常のくし型鋼製ジョイントの平面図である。
【図１１】図１０のX-X線断面図であり、弾性シール材を用いる従来の橋梁伸縮装置を示している。
【図１２】成形された止水材を用いた従来の橋梁伸縮装置を示しており、(a)はジョイントの平面図、（ｂ）は橋梁伸縮装置の断面図、（ｃ）は支持金具の平面図である。
【図１３】弾性シール材を用いる従来の橋梁伸縮装置において、遊間への土砂堆積により止水材が沈下、離脱する過程を示す説明図である。
【図１４】弾性シール材を用いる従来の橋梁伸縮装置において、止水材が伸縮する様子を示す説明図である。
【図１５】成形された止水材を用いた従来の橋梁伸縮装置の拡大断面図である。
【符号の説明】
【００４１】
１・・止水材、２・・柱材、３a・・上部蛇腹膜、３ｂ・・下部蛇腹膜、Ａ・・最下点、Ｂ・・最上点
【図１】
2007270610.tif 000003
【図２】
2007270610.tif 000004
【図３】
2007270610.tif 000005
【図４】
2007270610.tif 000006
【図５（ａ）（ｂ）】
2007270610.tif 000007
【図５（ｃ）（ｄ）】
2007270610.tif 000008
【図６】
2007270610.tif 000009
【図７】
2007270610.tif 000010
【図８】
2007270610.tif 000011
【図９】
2007270610.tif 000012
【図１０】
2007270610.tif 000013
【図１１】
2007270610.tif 000014
【図１２】
2007270610.tif 000015
【図１３】
2007270610.tif 000016
【図１４】
2007270610.tif 000017
【図１５】
2007270610.tif 000018